【手続補正書】
【提出日】平成24年7月25日(2012.7.25)
【手続補正１】
【補正対象書類名】明細書
【補正対象項目名】発明の名称
【補正方法】変更
【補正の内容】
【発明の名称】取引処理方法、中央取引コーディネータ、コーディネータサーバ、及び取引方法
【手続補正２】
【補正対象書類名】特許請求の範囲
【補正対象項目名】全文
【補正方法】変更
【補正の内容】
【特許請求の範囲】
【請求項１】
金融アカウント所有者と、サーバを備えた参加要素との間でネットワークを介して実行される取引処理方法であって、前記取引処理方法はコーディネータサーバにより実行され、
（ａ）前記コーディネータサーバによって、買い手から、前記参加要素との、複数の選択された商品を購入する取引を実行したい旨を示唆している要求を前記参加要素のサーバから受け取るステップと、
（ｂ）前記コーディネータサーバによって、前記買い手を金融アカウント所有者として認証するステップと、
（ｃ）前記コーディネータサーバによって、前記参加要素から、前記選択された商品を購入するための複数の期限を含む詳細を受け取るステップと、
（ｄ）前記コーディネータサーバによって、前記取引の完了を許可し、資金源サーバに許可要求を提出することにより、許可コードを確立するステップと、
（ｅ）前記コーディネータサーバによって、参加する商人に取引のための許可コードを伝えるステップと、
（ｆ）前記コーディネータサーバによって、前記参加要素から、前記許可コード、及び完了した取引に関する取引詳細を含んでいる決済情報を取得するステップ、
（ｇ）前記コーディネータサーバによって、前記決済情報と共に受け取られた許可コードに対応する前記取引詳細が、所定の許容差内にあることを承認するステップと、
（ｈ）前記コーディネータサーバによって、前記参加要素への払い戻し、及び前記金融アカウント所有者への請求書作成を達成するために、前記承認された決済情報を前記資金源サーバへ送信するステップと、
を備えたことを特徴とする取引処理方法。
【請求項２】
（ｉ）前記コーディネータサーバによって、取引履行データを確立するステップであり、前記取引履行データは前記選択された商品の配達先を示しており、それによって前記取引履行データの確立は、代替目的地が得られない場合に、前記選択された商品の前記配達先として予め得られていた目的地を前記選択された商品の配達先として使用することを含むステップと、
（ｊ）前記コーディネータサーバによって、前記取引履行データを前記参加要素のサーバへ送信するステップと、
を更に備えたことを特徴とする請求項１に記載の取引処理方法。
【請求項３】
前記取引履行データの確立は、前記買い手から、前記予め得られていた目的地とは異なる目的地を取得し、
異なる目的地である代替目的地を得ることに応じて、前記買い手への金融アカウント生成データに関して予め回答していた複数の安全確保の質問を送信し、
前記複数の安全確保の質問に対する応答を前記買い手から受信し、そして、
前記複数の安全確保の質問に対する応答が正確な場合に、前記選択された商品の配達先として前記代替目的地を利用することを特徴とする請求項２に記載の取引処理方法。
【請求項４】
前記決済情報の取得は、前記選択された商品を配達した表示上の前記参加要素からの前記決済情報を自動的に保存することを含むことを特徴とする請求項１に記載の取引処理方法。
【請求項５】
前記買い手を金融アカウント所有者と認証するステップ（ｂ）は、
トークンと、周期的に変わる断定可能ではないコードとが同期し、
前記金融アカウント所有者に前記トークンを提供し、前記トークンは周期的に変わる予測不可能なコードを表示するトークンであり、
前記買い手により伝達されたコードを受信し、そして、
受信されたコードが前記周期的に変わる断定可能ではないコードと一致する場合に、前記買い手を前記金融アカウント所有者として認証するために、前記受信されたコードと前記周期的に変わる断定可能ではないコードとを比較することを特徴とする請求項１に記載の取引処理方法。
【請求項６】
前記詳細が確立されたアカウント特権を破らない場合、前記取引が行われたことの完了を許可することを特徴とする請求項１に記載の取引処理方法。
【請求項７】
前記アカウント特権は、特定の参加要素からの購入を禁止することを特徴とする請求項６に記載の取引処理方法。
【請求項８】
前記アカウント特権は、前記金融アカウント所持者の直接参加なしで行われた取引が再発するのを自動的に禁止することを特徴とする請求項６に記載の取引処理方法。
【請求項９】
前記アカウント特権は、一定価格限界を超える購入を禁止することを特徴とする請求項６に記載の取引処理方法。
【請求項１０】
前記アカウント特権は、一日あたりの購入の合計が前もって定義したレベルを超過するのを禁止することを特徴とする請求項６に記載の取引処理方法。
【請求項１１】
前記ステップ（ｄ）許可は、前記ステップ（ｂ）認証の後に実行されることを特徴とする請求項１に記載の取引処理方法。
【請求項１２】
金融アカウント所有者とサーバを備えた参加要素との間でネットワークを介して実行される取引を処理するための中央取引コーディネータであって、
（ａ）参加要素のサーバから、複数の選択された商品を購入する買い手を含む取引の実行を示唆する要求を受け取る
（ｂ）金融アカウント所持者として前記買い手を認証する
（ｃ）前記参加要素から、前記選択された商品の購入のための複数の期間を含む詳細を受け取る
（ｄ）前記取引の完了を許可し、資金源のサーバに許可要求を提出することにより、許可コードを確立する
（ｅ）参加する商人に前記取引のための許可コードを送信する
（ｆ）前記参加要素から、終了した取引のための前記許可コード及び完了した取引に関する取引詳細含にでいる決済情報を取得する
（ｇ）前記決済情報と共に受信された前記許可コードに対応する前記取引詳細が所望の許容差内にあることを承認する
（ｈ）前記参加要素への払い戻し及び請求書作成を達成するために、前記資金源サーバに前記確認された決済情報を送信する
サーバを含むことを特徴とする中央取引コーディネータ。
【請求項１３】
通信ネットワーク上で、金融アカウント所有者と参加者との間で実行される取引をコンピュータプロセッサを介して処理するコーディネータサーバであって、
前記金融アカウント所有者である買い手が売り手である前記参加者と、買い手による一つまたは複数の選択アイテムの購入が含まれる取引を行う希望があることを示す買い手の購入要求を前記参加者から受け取る参加要求受信部と、
前記金融アカウント所有者のアイデンティティを受領するアイデンティティ受領部と、
前記受領したアイデンティティを用いて、買い手を金融アカウント所有者とし
て認証する認証部と、
選択アイテムの発送先を示す取引実行データを確立し、前記取引実行データの確立には、別の宛先が得られない場合、あらかじめ入手した宛先を選択アイテムの発送先とする確立部と、
前記取引実行データを参加者に連絡する連絡部と、
前記参加者から、選択アイテムの費用を含む取引内容を受け取る取引内容受信部と、
取引の完了を認証する取引完了認証部と、
前記取引完了認証部での認証コードを確立する認証コード確立部と、
前記認証コード確立部で確立した取引の認証コードを前記参加者に連絡する連絡部と、備え、
前記確立部が、
あらかじめ入手した宛先と異なる別の宛先を前記金融アカウント所有者である買い手か
ら受信する受信部と、
前記金融アカウント所有者である買い手に、前記金融アカウント所有者のアイデンティ
ティと関連して予め回答を得ていた１または複数の安全確認のための質問を送信する送信部と、
金融アカウント所有者である買い手からの１または複数の安全確認のための質問に対す
る返事を受信する返事受信部と、
前記受信した１または複数の安全確認のための質問に対する返事と、予め保持している
回答との一致を照合する照合部と、
前記照合部での照合の結果、返事が正確か否かを判断する判断部と、
前記判断部での判断で、返事が正確だった場合、前記別の宛先を選択したアイテムの
発送先とする指定する発送先指定部と、
をさらに備えたことを特徴とするコーディネータサーバ。
【請求項１４】
金融アカウント所有者のアドレスブックをさらに備え、
前記判断部が返事を正確と判断したとき、新しい宛先を前記アドレスブックに記録することを特徴とする請求項１３記載のコーディネータサーバ。
【請求項１５】
前記判断部が返事を正確と判断したとき、アイテムの発送手段又は発送時間の選択を提示する提示部をさらに備えたことを特徴とする請求項１３又は請求項１４記載のコーディネータサーバ。
【請求項１６】
通信ネットワーク上で、金融アカウント所有者のアドレスブックを備えたコーディネータサーバーと、金融アカウント所有者と参加者と
の間で実行される取引をコンピュータプロセッサを介して処理する取引方法であって、
前記コーディネータサーバーが、
（ａ）前記金融アカウント所有者である買い手が売り手である前記参加者と取引を行う
希望があることを示す買い手の購入要求を前記参加者から受け取るステップであって、前
記取引には、買い手による一つまたは複数の選択アイテムの購入が含まれるステップと、
（ｂ）前記金融アカウント所有者のアイデンティティを受領するステップと、
（ｂ）’前記受領したアイデンティティを用いて、買い手を金融アカウント所有者とし
て認証するステップと、
（ｃ）選択アイテムの発送先を示す取引実行データを確立するステップであって、前記
取引実行データの確立には、別の宛先が得られない場合、あらかじめ入手した宛先を選択
アイテムの発送先とすることを備えるステップと、
（ｄ）前記取引実行データを参加者に連絡するステップと、
（ｅ）前記参加者から、選択アイテムの費用を含む取引内容を受け取るステップと、
（ｆ）取引の完了を認証し、そのための認証コードを確立するステップと、
（ｇ）前記取引の認証コードを前記参加者に連絡するステップと、を備え、
前記（ｃ）取引実行データを確立するステップが、
あらかじめ入手した宛先と異なる別の宛先を前記金融アカウント所有者である買い手か
ら受信するステップと、
前記金融アカウント所有者である買い手に、前記金融アカウント所有者のアイデンティ
ティと関連して予め回答を得ていた１または複数の安全確認のための質問を送信するステ
ップと、
金融アカウント所有者である買い手からの１または複数の安全確認のための質問に対す
る返事を受信するステップと、
前記受信した１または複数の安全確認のための質問に対する返事と、予め保持している
回答との一致を照合し、返事が正確か否かを判断するステップと、
前記判断するステップで、返事が正確だった場合、前記別の宛先を選択したアイテムの
発送先とするステップと、
を具備し、
前記判断するステップで返事が正確と判断されたとき、新しい宛先を前記金融アカウント所有者のアドレスブックに記録するステップをさらに備えたことを特徴とする取引方法。
【請求項１７】
前記判断するステップで、返事が正確だった場合、アイテムの発送手段又は発送時間の選択を提示する提示ステップさらに備えたことを特徴とする請求項１６記載の取引方法。